(57)【要約】【課題】デマンドレスポンス制御によって獲得したインセンティブを上回る電気料金の支出を確実に防止できるようにする。【解決手段】電力削減要求を受信した場合、所定の電力削減要請期間内に所定電力削減量を削減し、削減した電力削減量に応じたインセンティブを獲得するよう設備機器をデマンドレスポンス制御するデマンドレスポンス制御部（Ｓ１０４）と、デマンドレスポンス制御が終了した後、設備機器を制御するレスポンス終了後制御部（Ｓ１１２、Ｓ１１６、Ｓ２１０）と、を備える。レスポンス終了後制御部は、デマンドレスポンス制御により獲得したインセンティブが、デマンドレスポンス制御の終了後に設備機器により消費される電力によって相殺されることのないよう設備機器を制御する。【選択図】図３
2020048293.tif 000002
【特許請求の範囲】
【請求項１】
電力削減要求の受信に応じて設備機器（３）が所定の電力削減要請期間内に所定の電力削減量を削減したときに、削減した電力削減量に応じたインセンティブを獲得できるデマンドレスポンスを有効にするか否かを判定する有効判定部（１１）と、
前記有効判定部により前記デマンドレスポンスが有効に設定され、かつ、前記電力削減要求を受信した場合、前記所定の電力削減要請期間内に前記所定の電力削減量を削減し、削減した電力削減量に応じた前記インセンティブを獲得するよう前記設備機器をデマンドレスポンス制御するデマンドレスポンス制御部（Ｓ１０４）と、
前記デマンドレスポンス制御が終了した後、前記設備機器を制御するレスポンス終了後制御部（Ｓ１１２、Ｓ１１６、Ｓ２１０）と、を備え、
前記レスポンス終了後制御部は、前記デマンドレスポンス制御により獲得した前記インセンティブが、前記デマンドレスポンス制御の終了後に前記設備機器により消費される電力によって相殺されることのないよう前記設備機器を制御する機器制御装置。
【請求項２】
前記レスポンス終了後制御部は、前記設備機器が消費する電力が、前記設備機器を前記デマンドレスポンス制御する前の前記設備機器の消費電力以下となる第１省電力制御モードで前記設備機器を制御する請求項１に記載の機器制御装置。
【請求項３】
前記インセンティブを算出するためのインセンティブ情報を記憶するインセンティブ情報記憶部（２３１）と、
前記設備機器を前記デマンドレスポンス制御する前の前記設備機器の消費電力を特定するためのベースライン情報を記憶するベースライン情報記憶部（２３２）と、を備え、
前記レスポンス終了後制御部は、前記インセンティブ情報を用いて前記デマンドレスポンス制御により獲得した前記インセンティブを算出するとともに、前記ベースライン情報を用いて前記設備機器を前記デマンドレスポンス制御する前の前記設備機器の消費電力を特定し、さらに、前記デマンドレスポンス制御が終了した後に前記設備機器が消費する電力と前記設備機器を前記デマンドレスポンス制御する前の前記設備機器の消費電力との差分電力に基づいて前記デマンドレスポンス制御が終了した後の電気料金の増加分を算出し、前記デマンドレスポンス制御が終了した後の電気料金の増加分が前記デマンドレスポンス制御により獲得された前記インセンティブ以下となる第２省電力制御モードで前記設備機器を制御する請求項１に記載の機器制御装置。
【請求項４】
前記レスポンス終了後制御部は、外気温度と、設定温度と室内温度のいずれか一方の温度を用いて前記設備機器を前記デマンドレスポンス制御する前の前記設備機器の消費電力を特定する請求項３に記載の機器制御装置。
【請求項５】
前記設備機器は、空調装置であり、
前記レスポンス終了後制御部は、前記デマンドレスポンス制御により獲得した前記インセンティブを相殺させないよう、前記空調装置の設定温度を、前記デマンドレスポンス制御部により設定された前記デマンドレスポンス制御の終了時の前記空調装置の設定温度から段階的に低下させる第３省電力制御モードで前記設備機器を制御する請求項１に記載の機器制御装置。
【請求項６】
前記有効判定部により前記デマンドレスポンスが有効であると判定されたあか否かをユーザに報知する報知部（１２）を備えた請求項１ないし５のいずれか１つに記載の機器制御装置。
【請求項７】
ユーザ操作を受け付ける操作部（１１）を備え、
前記設備機器は、空調装置であり、
前記レスポンス終了後制御部は、前記空調装置が消費する電力が前記空調装置を前記デマンドレスポンス制御する前の前記空調装置の消費電力以下となる第１省電力制御モードと、インセンティブ情報を用いて前記デマンドレスポンス制御により獲得した前記インセンティブを算出するとともに、前記デマンドレスポンス制御が終了した後に前記空調装置が消費する電力と前記空調装置を前記デマンドレスポンス制御する前の前記空調装置の消費電力との差分電力に基づいて前記デマンドレスポンス制御が終了した後の電気料金の増加分を算出し、前記デマンドレスポンス制御が終了した後の電気料金の増加分が前記デマンドレスポンス制御により獲得された前記インセンティブ以下となる第２省電力制御モードと、前記デマンドレスポンス制御により獲得した前記インセンティブを相殺させないよう、前記空調装置の設定温度を、前記デマンドレスポンス制御部により設定された前記デマンドレスポンス制御の終了時の前記空調装置の設定温度から段階的に低下させる第３省電力制御モードのうち、前記操作部により受け付けられた１つの制御モードで前記空調装置を制御する請求項１に記載の機器制御装置。
【請求項８】
前記設備機器は、冷媒を圧縮する圧縮機を有する空調装置であり、
前記圧縮機は、周波数が低くなるほど回転数が抑制されるようになっており、
前記レスポンス終了後制御部は、前記設備機器を前記デマンドレスポンス制御する前の前記設備機器の消費電力以下となるよう、より低い周波数で前記圧縮機を制御する請求項１ないし７のいずれか１つに記載の機器制御装置。
【請求項９】
電力削減要求の受信に応じて空調装置（３）が所定の電力削減要請期間内に所定の電力削減量を削減したときに、削減した電力削減量に応じたインセンティブを獲得できるデマンドレスポンスを有効にすることが可能な機器制御装置であって、
前記電力削減要求を受信した場合、前記所定の電力削減要請期間内に前記所定の電力削減量を削減し、削減した電力削減量に応じた前記インセンティブを獲得するよう前記空調装置の設定温度を上昇させて前記空調装置をデマンドレスポンス制御するデマンドレスポンス制御部（Ｓ１０４）と、
前記デマンドレスポンス制御が終了した後、前記空調装置を制御するレスポンス終了後制御部（Ｓ２１０）と、を備え、
前記レスポンス終了後制御部は、前記デマンドレスポンス制御により獲得した前記インセンティブを相殺させないよう、前記空調装置の設定温度を、前記デマンドレスポンス制御部により設定された前記デマンドレスポンス制御の終了時の前記空調装置の設定温度から段階的に低下させる機器制御装置。
【請求項１０】
前記空調装置の空調対象空間の壁温度を推定する複数の壁温度推定部を備え、
前記レスポンス終了後制御部は、前記デマンドレスポンス制御により獲得した前記インセンティブを相殺させないよう、前記複数の壁温度推定部により推定された前記壁温度の平均である平均壁温度を用いて前記空調装置の設定温度を特定する請求項９に記載の機器制御装置。
【請求項１１】
前記レスポンス終了後制御部により前記空調装置の設定温度が段階的に低下されることをユーザに報知する報知制御部(Ｓ２１２)を備えた請求項９または１０に記載の機器制御装置。
【発明の詳細な説明】
【技術分野】
【０００１】
本発明は、設備機器を制御する機器制御装置に関するものである。
【背景技術】
【０００２】
従来、特許文献１に記載されたデマンドレスポンス対応システムがある。このシステムは、デマンド制御装置と室内機制御装置を備えている。デマンド制御装置は、消費電力が契約電力を越える兆候があると判断した場合に、室内機制御装置へデマンド信号を送信する。また、室内機制御装置は、デマンド制御装置からデマンド信号が送信された場合に、空調装置の目標設定温度を室内温度と設定温度との間で設定し、段階的に設定温度に近づけていくことで、空調装置の消費電力の増加を抑制する。
【先行技術文献】
【特許文献】
【０００３】
【特許文献１】特開２０１２−２２５５４７号公報
【発明の概要】
【発明が解決しようとする課題】
【０００４】
ところで、デマンドレスポンスとして、電力会社からの依頼に応じてユーザが節電した場合に電力会社が対価としてインセンティブ料金を支払うことで、ユーザに電力消費の抑制を促すインセンティブ型デマンドレスポンスがある。
【０００５】
このインセンティブ型デマンドレスポンスに対応する装置では、例えば、図９に示すように、夏場の１３時より前に空調装置の設定温度が２６℃に設定された状態で、１３時〜１６時が節電要請期間であるデマンドレスポンス期間として指定された場合、デマンドレスポンス期間に空調装置の設定温度を２８℃に変更する。これにより、デマンドレスポンス期間の空調装置の消費電力は抑制され、ユーザは節電した消費電力に応じたインセンティブ料金を獲得することができることになる。
【０００６】
そして、デマンドレスポンス期間が終了した後、設定温度をデマンドレスポンス期間より前の設定温度である２６℃に戻して通常制御が行われる。
【０００７】
しかし、デマンドレスポンス期間が終了した後は、室温と設定温度との温度差の開離が大きく、しばらく消費電力が増加した状態が続く。例えば、図９に示す例では、１６時〜１７時の間では、１３時以前よりも消費電力が増加した状態が続いている。また、デマンドレスポンス期間中に外気温度が上昇した場合には、デマンドレスポンス期間が終了した後に、さらに、消費電力が増加した状態が長く続く。
【０００８】
このため、条件によっては獲得したインセンティブを上回る電気料金の支出が発生し、ユーザが損をしてしまう可能性があるといった問題がある。
【０００９】
なお、上記特許文献１に記載された各装置は、空調装置の目標設定温度を室内温度と設定温度との間で設定し、段階的に設定温度に近づける制御を行うものであり、デマンドレスポンス制御によって獲得したインセンティブを上回る電気料金の支出を防止するといったことはできない。
【００１０】
本発明は上記問題に鑑みたもので、デマンドレスポンス制御によって獲得したインセンティブを上回る電気料金の支出を確実に防止できるようにすることを目的とする。
【課題を解決するための手段】
【００１１】
上記目的を達成するため、請求項１に記載の発明は、電力削減要求の受信に応じて設備機器（３）が所定の電力削減要請期間内に所定の電力削減量を削減したときに、削減した電力削減量に応じたインセンティブを獲得できるデマンドレスポンスを有効にするか否かを判定する有効判定部（Ｓ１００）と、有効判定部によりデマンドレスポンスが有効であると判定され、かつ、電力削減要求を受信した場合、所定の電力削減要請期間内に所定電力削減量を削減し、削減した電力削減量に応じたインセンティブを獲得するよう設備機器をデマンドレスポンス制御するデマンドレスポンス制御部（Ｓ１０４）と、デマンドレスポンス制御が終了した後、設備機器を制御するレスポンス終了後制御部（Ｓ１１２、Ｓ１１６、Ｓ２１０）と、を備え、レスポンス終了後制御部は、デマンドレスポンス制御により獲得したインセンティブが、デマンドレスポンス制御の終了後に設備機器により消費される電力によって相殺されることのないよう設備機器を制御する。
【００１２】
このような構成によれば、レスポンス終了後制御部は、デマンドレスポンス制御により獲得したインセンティブが、デマンドレスポンス制御の終了後に設備機器により消費される電力によって相殺されることのないよう設備機器を制御するので、デマンドレスポンス制御によって獲得したインセンティブを上回る電気料金の支出を確実に防止することができる。
【００１３】
また、上記目的を達成するため、請求項１０に記載の発明は、電力削減要求の受信に応じて空調装置（３）が所定の電力削減要請期間内に所定電力削減量を削減したときに、削減した電力削減量に応じたインセンティブを獲得できるデマンドレスポンスを有効にすることが可能な機器制御装置であって、電力削減要求を受信した場合、所定の電力削減要請期間内に所定電力削減量を削減し、削減した電力削減量に応じたインセンティブを獲得するよう空調装置の設定温度を上昇させて空調装置をデマンドレスポンス制御するデマンドレスポンス制御部（Ｓ１０４）と、デマンドレスポンス制御が終了した後、空調装置を制御するレスポンス終了後制御部（Ｓ２１０）と、を備え、レスポンス終了後制御部は、デマンドレスポンス制御により獲得したインセンティブを相殺させないよう、空調装置の設定温度を、デマンドレスポンス制御部により設定されたデマンドレスポンス制御終了時の空調装置の設定温度から段階的に低下させる。
【００１４】
このような構成によれば、レスポンス終了後制御部は、デマンドレスポンス制御により獲得したインセンティブを相殺させないよう、空調装置の設定温度を、デマンドレスポンス制御部により設定されたデマンドレスポンス制御終了時の空調装置の設定温度から段階的に低下させるので、デマンドレスポンス制御によって獲得したインセンティブを上回る電気料金の支出を確実に防止することができる。
【００１５】
なお、この欄および特許請求の範囲で記載した各手段の括弧内の符号は、後述する実施形態に記載の具体的手段との対応関係を示すものである。
【図面の簡単な説明】
【００１６】
【図１】第１実施形態に係る機器制御装置および空調装置の全体構成を示した図である。
【図２】第１実施形態に係る機器制御装置のブロック図である。
【図３】第１実施形態に係る制御装置のフローチャートである。
【図４】リモコンの表示部の表示例を示した図である。
【図５】第１省電力制御の設定温度と消費電力の例を示した図である。
【図６】第２省電力制御の設定温度と消費電力の例を示した図である。
【図７】第２実施形態に係る制御装置のフローチャートである。
【図８】第３省電力制御の設定温度と消費電力の例を示した図である。
【図９】従来制御の設定温度と消費電力の例を示した図である。
【発明を実施するための形態】
【００１７】
以下、本発明の実施形態について図に基づいて説明する。なお、以下の各実施形態相互において、互いに同一もしくは均等である部分には、図中、同一符号を付してある。
【００１８】
（第１実施形態）
第１実施形態に係る機器制御装置１の全体構成について図１を用いて説明する。機器制御装置１は、建物の全体の空調を行う全館空調装置３の制御を行うものである。図１は、機器制御装置１および空調装置３が２階建ての戸建て住宅に設置された様子を表している。
【００１９】
空調装置３は、室内に設置される室内機３１および室外に設置される室外機３２を備えている。室内機３１と室外機３２の間は、冷媒が流れる冷媒配管３３を介して接続されている。室内機３１は、冷媒と空気との熱交換により温度調整された空気をダクト３４を介してリビング、和室、寝室、子供部屋等の各部屋に送風する。
【００２０】
室内機３１は、冷媒と室内空気とを熱交換させて、室内の空気の温度を変化させる室内熱交換器と、この室内熱交換器を通過する気流を発生させるとともに内熱交換器にて温度調整された空調風をダクト３４を介して各部屋に送風する室内送風機（いずれも図示せず）と、を有している。
【００２１】
室外機３２は、冷媒を圧縮して吐出する圧縮機と、圧縮機から吐出された高温の冷媒と室外の空気とを熱交換させる室外熱交換器と、空調用減圧機器（いずれも図示せず）と、を備えている。空調用減圧機器は、室内熱交換器および室外熱交換器のうち、一方の熱交換器から流出した冷媒を所定の圧力まで減圧して他方の熱交換器に流出させる。なお、圧縮機は、周波数が低くなるほど回転数が抑制されるようになっている。
【００２２】
本実施形態の機器制御装置１および空調装置３が設置されている建物は、電力会社等の電力供給会社との間で、電力供給会社からの電力削減要求に応じて節電した際に、ユーザ（需要家）が電力供給会社からインセンティブを得られるインセンティブ型デマンドレスポンス(ＤＲ)契約がなされている。なお、電力削減要求には、時間帯と目標電力削減量が含まれる。ユーザは、電力削減要求に含まれる所定の時間帯に目標電力削減量の電力を削減すると、電力供給会社からインセンティブとして所定の対価を得ることができるようになっている。
【００２３】
次に、機器制御装置１の構成について説明する。図２に示すように、機器制御装置１は、制御装置２０およびリモコン１０を備えている。制御装置２０とリモコン１０は、離れた場所に配置されている。制御装置２０は、室外機３２の内部に配置されており、リモコン１０は、リビング、和室、寝室、子供部屋等の部屋に配置されている。制御装置２０は、リモコン１０との間で通信することが可能となっている。
【００２４】
制御装置２０は、ネットワーク網を介して外部機器と通信するための通信部２１、各種演算を行う演算部２２および各種データを記憶する記憶部２３を有している。
【００２５】
制御装置２０は、通信部２１を介してネットワーク網に接続することで、電力会社等の電力供給会社のサーバ等と通信を行うことが可能となっている。演算部２２は、ＣＰＵにより構成されており、記憶部２３に記憶されたプログラムに従って各種演算処理を実行する。
【００２６】
記憶部２３は、ＲＯＭ、ＲＡＭ、フラッシュメモリ等により構成されている。記憶部２３は、インセンティブを算出するためのインセンティブ情報を記憶するインセンティブ情報記憶部２３１、空調装置３をデマンドレスポンス制御する前の空調装置３の消費電力を特定するためのベースライン情報を記憶するベースライン情報記憶部２３２を有している。
【００２７】
ベースライン情報記憶部２３２には、演算部２２によってデマンドレスポンス制御を実施していないときの空調装置３の消費電力が周期的に記憶される。
【００２８】
リモコン１０は、操作部１１および報知部１２を有している。操作部１１は、各種メカニカルスイッチ、タッチスイッチ等のスイッチにより構成され、ユーザのスイッチに対する操作に応じた信号を出力する。報知部１２は、液晶ディスプレイ等の表示部と、音声信号に応じた音を出力するスピーカと、を有している。なお、ユーザは、リモコン１０を操作してデマンドレスポンスを有効にするか否かの設定を行うことが可能となっている。
【００２９】
制御装置２０は、ネットワーク網を介して電力会社等の電力供給会社から電力削減要求を受信すると、設備機器としての空調装置３が所定期間内に所定の目標電力削減量を削減したときに得られるインセンティブを獲得できるよう空調装置３を制御する。
【００３０】
具体的には、制御装置２０は、電力削減要求を受信した場合、所定期間内に所定の目標電力削減量分の電力削減を達成するための空調装置３の制御スケジュールを作成し、この制御スケジュールに従って空調装置３をデマンドレスポンス制御する。なお、空調装置３は、機器制御装置１の制御装置２０からの制御信号に応じて設定温度、設定湿度、送風風量等を変更することが可能となっている。
【００３１】
本実施形態では、空調装置３の設定湿度および送風風量を一定とし、設定温度を変更することにより空調装置３の消費電力を調整する例を示すが、空調装置３の設定湿度や送風風量を制御して空調装置３の消費電力を調整することもできる。
【００３２】
図３は、制御装置２０のフローチャートである。次に、制御装置２０の処理について図３を参照して説明する。ここでは、空調装置３が冷房運転を実施しているものとして説明する。制御装置２０は、電力供給会社からの電力削減要求を受信すると、周期的に図３に示す処理を実施する。なお、電力削減要求には、デマンドレスポンス制御する時間帯と目標電力削減量が含まれる。
【００３３】
まず、制御装置２０は、Ｓ１００にてデマンドレスポンスが有効設定となっているか否かを判定する。具体的には、ユーザのリモコン１０の操作によってデマンドレスポンスの有効または無効設定が有効設定になっているか否かを判定する。
【００３４】
ここで、デマンドレスポンスが有効設定となっている場合、制御装置２０は、Ｓ１０２にて、現在時刻が電力削減要求に含まれるデマンドレスポンス制御開始時刻になっているか否かを判定する。
【００３５】
ここで、現在時刻がデマンドレスポンス制御開始時刻になっていない場合、制御装置２０は、Ｓ１０２の判定を繰り返し実施する。
【００３６】
また、現在時刻がデマンドレスポンス制御開始時刻になった場合、制御装置２０は、Ｓ１０４にて、デマンドレスポンス制御を実施する。具体的には、制御装置２０は、電力削減要求に含まれる目標電力削減量分の電力削減を達成するための空調装置３の設定条件を特定する。ここでは、目標電力削減量分の電力削減を達成するための空調装置３の設定温度のスケジュールを作成する。なお、電力削減量は、例えば、過去の空調装置３の設定温度と消費電力の関係に基づいて特定することができる。そして、制御装置２０は、作成したスケジュールにしたがい、空調装置３が所定期間内に所定の目標電力削減量を削減したときに得られるインセンティブを獲得できるよう空調装置３を制御する。
【００３７】
次に、制御装置２０は、Ｓ１０６にて、現在時刻がデマンドレスポンス制御の終了時刻になったか否かを判定する。ここで、現在時刻がデマンドレスポンス制御の終了時刻になっていない場合、制御装置２０は、Ｓ１０４に戻り、デマンドレスポンス制御を継続する。
【００３８】
また、現在時刻がデマンドレスポンス制御の終了時刻になった場合、制御装置２０は、Ｓ１０８にて、省電力制御を実施するか否かを判定する。具体的には、省電力制御を実施するか否かを確認するための画像をリモコン１０の表示部に表示させるとともに省電力制御を実施するか否かを確認するための音声をスピーカから出力させ、ユーザのリモコン１０の操作により省電力制御を実施するか否かを判定する。
【００３９】
ここで、ユーザのリモコン１０の操作により省電力制御を実施することを判定した場合、制御装置２０は、Ｓ１１０にて、第１省電力制御を実施するか第２省電力制御を実施するかを判定する。なお、第１省電力制御は、第１省電力制御モードに相当し、第２省電力制御は、第２省電力制御モードに相当する。第１省電力制御は、例えば、図５に示すように、１６時にデマンドレスポンス制御を終了した後、デマンドレスポンス制御する前の空調装置３の消費電力であるベースラインを維持する制御である。また、第２省電力制御は、例えば、図６に示すように、１６時にデマンドレスポンス制御した後、デマンドレスポンス制御により獲得したインセンティブを上回る支出がないように空調装置３に対して実施する制御である。
【００４０】
ここで、ユーザのリモコン１０の操作によって第１省電力制御が選択された場合、制御装置２０は、Ｓ１１２にて、第１省電力制御を実施する。具体的には、制御装置２０は、まず、記憶部２３に記憶されたベースライン情報を用いて空調装置３をデマンドレスポンス制御する前の空調装置３の消費電力を特定する。
【００４１】
ここでは、ベースライン情報として記憶部２３に記憶された外気温度と設定温度に対応する設備機器の消費電力を関連付けしたマップを用いて空調装置３をデマンドレスポンス制御する前の空調装置３の消費電力を特定する。なお、外気温度と室内温度に対応する設備機器の消費電力を関連付けしたマップを用いて空調装置３をデマンドレスポンス制御する前の空調装置３の消費電力を特定してもよい。
【００４２】
そして、デマンドレスポンス制御する前の空調装置３の消費電力を維持するようスケジュールを作成し、作成したスケジュールにしたがって空調装置３を所定期間制御する。具体的には、設備機器３をデマンドレスポンス制御する前の設備機器３の消費電力以下となるよう、より低い周波数で圧縮機を制御する。
【００４３】
次に、制御装置２０は、Ｓ１１４にて、制御結果を報知する。具体的には、デマンドレスポンス制御により獲得したインセンティブをリモコン１０の表示部に表示させ、本処理を終了する。
【００４４】
また、Ｓ１１０の判定において、ユーザのリモコン１０の操作によって第２省電力制御が選択された場合、制御装置２０は、Ｓ１１６にて、第２省電力制御を実施する。具体的には、制御装置２０は、まず、インセンティブ情報記憶部２３１に記憶されたインセンティブ情報を用いてデマンドレスポンス制御により獲得したインセンティブを算出する。なお、インセンティブは、インセンティブ単価に電力削減量を乗算することにより算出することができる。インセンティブは、電気料金として算出することもできるが、電気料金に換算することが可能なポイントとして算出することもできる。
【００４５】
さらに、制御装置２０は、記憶部２３に記憶されたベースライン情報を用いて空調装置３をデマンドレスポンス制御する前の空調装置３の消費電力を特定する。次に、デマンドレスポンス制御が終了した後に空調装置３が消費する電力と、空調装置３をデマンドレスポンス制御する前の空調装置３の消費電力との差分電力に基づいてデマンドレスポンス制御が終了した後に支払う電気料金の差分を算出する。そして、デマンドレスポンス制御が終了した後に支払う電気料金の差分がデマンドレスポンス制御により獲得されたインセンティブ以下となるようスケジュールを作成し、作成したスケジュールにしたがって空調装置３を所定期間制御する。
【００４６】
また、制御装置２０は、例えば、図４に示すように、現在の制御設定温度として「２７℃」、設定温度として「２６℃」、デマンドレスポンス制御により獲得したインセンティブ料金として「３００円」、変更予定の設定温度として「２６．５℃」を表示部に表示させる。
【００４７】
次に、制御装置２０は、Ｓ１１４にて、制御結果を報知する。具体的には、デマンドレスポンス制御により獲得したインセンティブと、デマンドレスポンス制御が終了した後に空調装置３が消費する電力によって増加した電気料金とデマンドレスポンス制御する前の空調装置３の消費電力を継続したと仮定した場合の差額をリモコン１０の表示部に表示させ、本処理を終了する。
【００４８】
また、Ｓ１００の判定にて、デマンドレスポンスが無効設定となっていると判定された場合、制御装置２０は、Ｓ１１８にて、通常制御を実施する。具体的には、デマンドレスポンス制御を実施することなく、デマンドレスポンス制御する前の空調装置３の消費電力を維持するよう空調装置３を制御し、本処理を終了する。
【００４９】
以上、説明したように、本実施形態の機器制御装置１は、電力削減要求の受信に応じて設備機器３が所定の電力削減要請期間内に所定の電力削減量を削減したときに、削減した電力削減量に応じたインセンティブを獲得できるデマンドレスポンスを有効にするか否かを判定する有効判定部を備えている。また、有効判定部によりデマンドレスポンスが有効に設定され、かつ、電力削減要求を受信した場合、所定の電力削減要請期間内に所定電力削減量を削減し、削減した電力削減量に応じたインセンティブを獲得するよう設備機器３をデマンドレスポンス制御するデマンドレスポンス制御部（Ｓ１０４）を備えている。また、デマンドレスポンス制御が終了した後、設備機器３を制御するレスポンス終了後制御部（Ｓ１１２、Ｓ１１６、Ｓ２１０）を備えている。そして、レスポンス終了後制御部は、デマンドレスポンス制御により獲得したインセンティブが、デマンドレスポンス制御の終了後に設備機器３により消費される電力によって相殺されることのないよう設備機器３を制御する。
【００５０】
このような構成によれば、レスポンス終了後制御部は、デマンドレスポンス制御により獲得したインセンティブが、デマンドレスポンス制御の終了後に設備機器３により消費される電力によって相殺されることのないよう設備機器３を制御するので、デマンドレスポンス制御によって獲得したインセンティブを上回る電気料金の支出を確実に防止することができる。
【００５１】
また、レスポンス終了後制御部は、設備機器３が消費する電力が、設備機器３をデマンドレスポンス制御する前の設備機器３の消費電力以下となる第１省電力制御モードで設備機器３を制御する。
【００５２】
したがって、デマンドレスポンス制御により獲得したインセンティブを、デマンドレスポンス制御の終了後に設備機器３により消費される電力によって低減させないようにすることができる。
【００５３】
また、機器制御装置１は、インセンティブを算出するためのインセンティブ情報を記憶するインセンティブ情報記憶部２３１と、設備機器をデマンドレスポンス制御する前の設備機器の消費電力を特定するためのベースライン情報を記憶するベースライン情報記憶部２３２と、を備えている。また、レスポンス終了後制御部は、インセンティブ情報を用いてデマンドレスポンス制御により獲得したインセンティブを算出するとともに、ベースライン情報を用いて設備機器をデマンドレスポンス制御する前の設備機器の消費電力を特定する。さらに、デマンドレスポンス制御が終了した後に設備機器３が消費する電力と設備機器３をデマンドレスポンス制御する前の設備機器３の消費電力との差分電力に基づいてデマンドレスポンス制御が終了した後の電気料金の増加分を算出する。そして、デマンドレスポンス制御が終了した後の電気料金の増加分がデマンドレスポンス制御により獲得されたインセンティブ以下となる第２省電力制御モードで設備機器３を制御する。
【００５４】
したがって、デマンドレスポンス制御が終了した後に、快適性を得ることができるとともに、デマンドレスポンス制御により獲得されたインセンティブが相殺されるのを防止することができる。
【００５５】
また、レスポンス終了後制御部は、外気温度と、設定温度と室内温度のいずれか一方の温度を用いて設備機器をデマンドレスポンス制御する前の設備機器の消費電力を特定する。
【００５６】
このように、レスポンス終了後制御部は、外気温度と、設定温度と室内温度のいずれか一方の温度を用いて設備機器をデマンドレスポンス制御する前の設備機器の消費電力を特定することができる。
【００５７】
また、機器制御装置１は、有効判定部によりデマンドレスポンスが有効であると判定されたか否かをユーザに報知する報知部を備えている。したがって、ユーザは、デマンドレスポンスが有効にされているか否かを容易に認識することができる。
【００５８】
また、設備機器３は、冷媒を圧縮する圧縮機を有する空調装置であり、圧縮機は、周波数が低くなるほど回転数が抑制されるようになっており、レスポンス終了後制御部は、設備機器３をデマンドレスポンス制御する前の設備機器３の消費電力以下となるよう、より低い周波数で圧縮機を制御する。
【００５９】
このように、より低い周波数で圧縮機を制御することにより、設備機器３を少ない消費電力で作動させることができる。
【００６０】
（第２実施形態）
第２実施形態の機器制御装置の構成は、上記第１実施形態の機器制御装置と同じである。本実施形態の機器制御装置は、上記第１実施形態の機器制御装置と比較して、制御装置２０の処理が異なる。上記第１実施形態の制御装置２０は、Ｓ１０８にて省電力制御を実施すると判定された場合、Ｓ１１０、Ｓ１１２、Ｓ１１６にて、第１省電力制御または第２省電力制御を実施するよう構成されている。これに対し、本実施形態の制御装置２０は、Ｓ１０８にて省電力制御を実施すると判定された場合、図７のＳ２１０にて、設定温度を段階的に変化させる点が異なる。
【００６１】
本実施形態の制御装置２０は、Ｓ１０８にて省電力制御を実施すると判定された場合、図７のＳ２１０にて、設定温度を段階的に変化させる第３省電力制御を実施する。なお、第３省電力制御は、第３省電力制御モードに相当する。例えば、図８に示すように、１６時にデマンドレスポンス制御を終了すると、空調装置３の設定温度を所定期間（ここでは、３０分間）、デマンドレスポンス終了時の設定温度である２８℃から０．５℃下げて２７．５℃に変更する。次に、所定期間（ここでは、３０分間）、さらに設定温度を下げて２７℃に変更する。次に、所定期間（ここでは、３０分間）、さらに設定温度を下げて２６．５℃に変更する。次に、所定期間（ここでは、３０分間）、さらに設定温度を下げて２６℃に変更する。このように、徐々に設定温度を段階的に低下させて、デマンドレスポンス制御の前の設定温度に戻す。
【００６２】
次に、制御装置２０は、Ｓ２１２にて、設定温度を報知し、Ｓ２１４にて、制御結果を報知し、本処理を終了する。
【００６３】
なお、本実施形態の機器制御装置１は、空調装置の空調対象空間の壁温度を推定する複数の壁温度推定部（図示せず）を備えている。そして、レスポンス終了後制御部は、デマンドレスポンス制御により獲得したインセンティブを相殺させないよう、複数の壁温度推定部により推定された壁温度の平均である平均壁温度を用いて空調装置の設定温度を特定する。
【００６４】
以上、説明したように、本実施形態の機器制御装置１では、レスポンス終了後制御部は、デマンドレスポンス制御により獲得したインセンティブを相殺させないよう、空調装置の設定温度を、デマンドレスポンス制御部により設定されたデマンドレスポンス制御終了時の空調装置の設定温度から段階的に低下させる第３省電力制御モードで設備機器３を制御する。
【００６５】
したがって、空調装置の設定温度を、急激に低下させる場合と比較して、設備機器３の消費電力を大きく抑制することができるとともに、快適性を確保することもできる。
【００６６】
また、機器制御装置１は、有効判定部によりデマンドレスポンスが有効であると判定されたか否かをユーザに報知する報知部を備えている。したがって、ユーザは、デマンドレスポンスが有効にされているか否かを容易に認識することができる。
【００６７】
また、機器制御装置１は、電力削減要求の受信に応じて空調装置が所定の電力削減要請期間内に所定電力削減量を削減したときに、削減した電力削減量に応じたインセンティブを獲得できるデマンドレスポンスを有効にすることが可能となっている。また、機器制御装置１は、電力削減要求を受信した場合、所定の電力削減要請期間内に所定電力削減量を削減し、削減した電力削減量に応じたインセンティブを獲得するよう空調装置の設定温度を上昇させて空調装置をデマンドレスポンス制御するデマンドレスポンス制御部を備えている。また、デマンドレスポンス制御が終了した後、空調装置を制御するレスポンス終了後制御部を備えている。そして、レスポンス終了後制御部は、デマンドレスポンス制御により獲得したインセンティブを相殺させないよう、空調装置の設定温度を、デマンドレスポンス制御部により設定されたデマンドレスポンス制御終了時の空調装置の設定温度から段階的に低下させる。
【００６８】
このような構成によれば、レスポンス終了後制御部は、デマンドレスポンス制御により獲得したインセンティブを相殺させないよう、空調装置の設定温度を、デマンドレスポンス制御部により設定されたデマンドレスポンス制御終了時の空調装置の設定温度から段階的に低下させる。したがって、デマンドレスポンス制御によって獲得したインセンティブを上回る電気料金の支出を確実に防止することができる。
【００６９】
また、機器制御装置１は、空調装置の空調対象空間の壁温度を推定する複数の壁温度推定部を備えている。そして、レスポンス終了後制御部は、デマンドレスポンス制御により獲得したインセンティブを相殺させないよう、複数の壁温度推定部により推定された壁温度の平均である平均壁温度を用いて空調装置の設定温度を特定する。
【００７０】
このように、レスポンス終了後制御部は、デマンドレスポンス制御により獲得したインセンティブを相殺させないよう、複数の壁温度推定部により推定された壁温度の平均である平均壁温度を用いて空調装置の設定温度を特定するので、放射による影響を受けることなく、空調装置の設定温度を特定することが可能である。
【００７１】
また、機器制御装置１は、レスポンス終了後制御部により空調装置の設定温度が段階的に低下されることをユーザに報知する報知制御部を備えている。したがって、ユーザは空調装置の設定温度が段階的に低下されることを容易に認識することができる。
【００７２】
なお、本実施形態では、レスポンス終了後制御部が、第３省電力制御モードを実施した。また、上記第１実施形態では、レスポンス終了後制御部が、第１省電力制御モードまたは第２省電力制御モードを実施した。
【００７３】
これに対し、レスポンス終了後制御部は、第１省電力制御モードと、第２省電力制御モードと、第３省電力制御モードのうち、操作部により受け付けられた１つの制御モードで設備機器３を制御することもできる。なお、第１省電力制御モードは、設備機器３が消費する電力が設備機器３をデマンドレスポンス制御する前の設備機器３の消費電力以下となる制御モードである。第２省電力制御モードは、インセンティブ情報を用いてデマンドレスポンス制御により獲得したインセンティブを算出するとともに、デマンドレスポンス制御が終了した後に設備機器３が消費する電力と設備機器３をデマンドレスポンス制御する前の設備機器３の消費電力との差分電力に基づいてデマンドレスポンス制御が終了した後の電気料金の増加分を算出し、デマンドレスポンス制御が終了した後の電気料金の増加分がデマンドレスポンス制御により獲得されたインセンティブ以下となる制御モードである。また、第３省電力制御モードは、デマンドレスポンス制御により獲得したインセンティブを相殺させないよう、空調装置の設定温度を、デマンドレスポンス制御部により設定されたデマンドレスポンス制御終了時の空調装置の設定温度から段階的に低下させる制御モードである。
【００７４】
これにより、ユーザは好みの制御モードを容易に指定し、この指定した制御モードで設備機器３を制御することができる。
【００７５】
（他の実施形態）
（１）上記第１実施形態では、Ｓ１１２の第１省電力制御にて、デマンドレスポンス制御した後、空調装置３の消費電力が、デマンドレスポンス制御する前の空調装置３の消費電力であるベースラインに維持されるようにしたが、空調装置３の消費電力が、デマンドレスポンス制御する前の空調装置３の消費電力であるベースライン以下となるよう空調装置３を制御してもよい。
【００７６】
（２）上記各実施形態では、室外機３２の内部に制御装置２０を配置したが、制御装置２０の配置は、室外機３２の内部に限定されるものではない。
【００７７】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００７８】
（まとめ）
上記各実施形態の一部または全部で示された第１の観点によれば、機器制御装置は、電力削減要求の受信に応じて設備機器が所定の電力削減要請期間内に所定の電力削減量を削減したときに、削減した電力削減量に応じたインセンティブを獲得できるデマンドレスポンスを有効にするか否かを判定する有効判定部を備えている。また、有効判定部によりデマンドレスポンスが有効であると判定され、かつ、電力削減要求を受信した場合、所定の電力削減要請期間内に所定電力削減量を削減し、削減した電力削減量に応じたインセンティブを獲得するよう設備機器をデマンドレスポンス制御するデマンドレスポンス制御部を備えている。また、デマンドレスポンス制御が終了した後、設備機器を制御するレスポンス終了後制御部を備えている。そして、レスポンス終了後制御部は、デマンドレスポンス制御により獲得したインセンティブが、デマンドレスポンス制御の終了後に設備機器により消費される電力によって相殺されることのないよう設備機器を制御する。
【００７９】
また、第２の観点によれば、レスポンス終了後制御部は、設備機器が消費する電力が、設備機器をデマンドレスポンス制御する前の設備機器の消費電力以下となる第１省電力制御モードで設備機器を制御する。
【００８０】
したがって、デマンドレスポンス制御により獲得したインセンティブを、デマンドレスポンス制御の終了後に設備機器により消費される電力によって低減させないようにすることができる。
【００８１】
また、第３の観点によれば、機器制御装置は、インセンティブを算出するためのインセンティブ情報を記憶するインセンティブ情報記憶部と、設備機器をデマンドレスポンス制御する前の設備機器の消費電力を特定するためのベースライン情報を記憶するベースライン情報記憶部と、を備えている。また、レスポンス終了後制御部は、インセンティブ情報を用いてデマンドレスポンス制御により獲得したインセンティブを算出するとともに、ベースライン情報を用いて設備機器をデマンドレスポンス制御する前の設備機器の消費電力を特定し、さらに、デマンドレスポンス制御が終了した後に設備機器が消費する電力と設備機器をデマンドレスポンス制御する前の設備機器の消費電力との差分電力に基づいてデマンドレスポンス制御が終了した後の電気料金の増加分を算出する。そして、デマンドレスポンス制御が終了した後の電気料金の増加分がデマンドレスポンス制御により獲得されたインセンティブ以下となる第２省電力制御モードで設備機器を制御する。
【００８２】
したがって、デマンドレスポンス制御が終了した後に、快適性を得ることができるとともに、デマンドレスポンス制御により獲得されたインセンティブが相殺されるのを防止することができる。
【００８３】
また、第４の観点によれば、レスポンス終了後制御部は、外気温度と、設定温度と室内温度のいずれか一方の温度を用いて設備機器をデマンドレスポンス制御する前の設備機器の消費電力を特定する。
【００８４】
このように、レスポンス終了後制御部は、外気温度と、設定温度と室内温度のいずれか一方の温度を用いて設備機器をデマンドレスポンス制御する前の設備機器の消費電力を特定することができる。
【００８５】
また、第５の観点によれば、設備機器は、空調装置であり、レスポンス終了後制御部は、デマンドレスポンス制御により獲得したインセンティブを相殺させないよう、空調装置の設定温度を、デマンドレスポンス制御部により設定されたデマンドレスポンス制御の終了時の空調装置の設定温度から段階的に低下させる第３省電力制御モードで設備機器を制御する。
【００８６】
したがって、空調装置の設定温度を、急激に低下させる場合と比較して、設備機器の消費電力を大きく抑制することができるとともに、快適性を確保することもできる。
【００８７】
また、第６の観点によれば、機器制御装置は、有効判定部によりデマンドレスポンスが有効であると判定されたか否かをユーザに報知する報知部を備えている。したがって、ユーザは、デマンドレスポンスが有効にされているか否かを容易に認識することができる。
【００８８】
また、第７の観点によれば、機器制御装置は、ユーザ操作を受け付ける操作部を備えている。そして、レスポンス終了後制御部は、設備機器が消費する電力が設備機器をデマンドレスポンス制御する前の設備機器の消費電力以下となる第１省電力制御モードと、インセンティブ情報を用いてデマンドレスポンス制御により獲得したインセンティブを算出するとともに、デマンドレスポンス制御が終了した後に設備機器が消費する電力と設備機器をデマンドレスポンス制御する前の設備機器の消費電力との差分電力に基づいてデマンドレスポンス制御が終了した後の電気料金の増加分を算出し、デマンドレスポンス制御が終了した後の電気料金の増加分がデマンドレスポンス制御により獲得されたインセンティブ以下となる第２省電力制御モードと、デマンドレスポンス制御により獲得したインセンティブを相殺させないよう、空調装置の設定温度を、デマンドレスポンス制御部により設定されたデマンドレスポンス制御終了時の空調装置の設定温度から段階的に低下させる第３省電力制御モードのうち、操作部により受け付けられた１つの制御モードで設備機器を制御する。
【００８９】
したがって、ユーザは好みの制御モードを容易に指定し、この指定した制御モードで設備機器を制御することができる。
【００９０】
また、第８の観点によれば、設備機器は、冷媒を圧縮する圧縮機を有する空調装置であり、圧縮機は、周波数が低くなるほど回転数が抑制されるようになっており、レスポンス終了後制御部は、設備機器をデマンドレスポンス制御する前の設備機器の消費電力以下となるよう、より低い周波数で圧縮機を制御する。
【００９１】
このように、より低い周波数で圧縮機を制御することにより、設備機器を少ない消費電力で作動させることができる。
【００９２】
また、第９の観点によれば、機器制御装置は、電力削減要求の受信に応じて空調装置が所定の電力削減要請期間内に所定電力削減量を削減したときに、削減した電力削減量に応じたインセンティブを獲得できるデマンドレスポンスを有効にすることが可能となっている。また、機器制御装置は、電力削減要求を受信した場合、所定の電力削減要請期間内に所定電力削減量を削減し、削減した電力削減量に応じたインセンティブを獲得するよう空調装置の設定温度を上昇させて空調装置をデマンドレスポンス制御するデマンドレスポンス制御部を備えている。また、デマンドレスポンス制御が終了した後、空調装置を制御するレスポンス終了後制御部を備えている。そして、レスポンス終了後制御部は、デマンドレスポンス制御により獲得したインセンティブを相殺させないよう、空調装置の設定温度を、デマンドレスポンス制御部により設定されたデマンドレスポンス制御終了時の空調装置の設定温度から段階的に低下させる。
【００９３】
また、第１０の観点によれば、機器制御装置は、空調装置の空調対象空間の壁温度を推定する複数の壁温度推定部を備えている。そして、レスポンス終了後制御部は、デマンドレスポンス制御により獲得したインセンティブを相殺させないよう、複数の壁温度推定部により推定された壁温度の平均である平均壁温度を用いて空調装置の設定温度を特定する。
【００９４】
このように、レスポンス終了後制御部は、デマンドレスポンス制御により獲得したインセンティブを相殺させないよう、複数の壁温度推定部により推定された壁温度の平均である平均壁温度を用いて空調装置の設定温度を特定するので、放射による影響を受けることなく、空調装置の設定温度を特定することが可能である。
【００９５】
また、第１１の観点によれば、機器制御装置は、レスポンス終了後制御部により空調装置の設定温度が段階的に低下されることをユーザに報知する報知制御部を備えている。
【００９６】
したがって、ユーザは空調装置の設定温度が段階的に低下されることを容易に認識することができる。
【００９７】
なお、上記実施形態における構成と特許請求の範囲の構成との対応関係について説明すると、Ｓ１０４の処理がデマンドレスポンス制御部に相当し、Ｓ１１２、Ｓ１１６、Ｓ２１０の処理がレスポンス終了後制御部に相当する。
【符号の説明】
【００９８】
１    機器制御装置
３    全館空調装置
１０  リモコン
１１  操作部
１２  報知部
２０  制御装置
２１  通信部
２２  演算部
２３  記憶部
３１  室内機
３２  室外機
３３  冷媒配管
３４  ダクト
【図１】
2020048293.tif 000003
【図２】
2020048293.tif 000004
【図３】
2020048293.tif 000005
【図４】
2020048293.tif 000006
【図５】
2020048293.tif 000007
【図６】
2020048293.tif 000008
【図７】
2020048293.tif 000009
【図８】
2020048293.tif 000010
【図９】
2020048293.tif 000011